(57)【要約】【課題】浴槽と屋外の外釜とを上部および下部の連通管で連通させた風呂において、非燃焼時に外気で冷された外釜の冷水が浴槽に逆流して湯温の低下を防止するための、安価で浴槽内にスペースを取らない着脱容易な逆流防止器具を提供する。【解決手段】一方に浴槽の内壁に当接する鍔部を備え、他方に上向きの傾斜断面を備える管の前記傾斜断面に自重で当接して閉状態とし外釜の燃焼時には湯の対流で開状態となる弁と、前記傾斜断面を備える管の外周に下部連結管の内壁に当接して係止する弾性体を備えた逆流防止器具を構成する。 また、前記傾斜断面を備える管の外周に備える下部連結管の内壁に当接して係止する弾性体を、テーパを有するゴム状のスリーブあるいは、屈曲した板状の弾性体で構成する。【選択図】図１
0003118886.tif 000002
【実用新案登録請求の範囲】
【請求項１】
浴槽と屋外の外釜とを上部および下部の連通管で連通させた風呂の下部連通管の浴槽側端部に挿し込んで取り付け、非燃焼時に外気で冷された外釜の冷水が浴槽に逆流するのを防止する為の逆流防止器具であって、一方に浴槽の内壁に当接する鍔部を備え、他方に上向きの傾斜断面を備える管の前記傾斜断面に自重で当接して閉状態とし外釜の燃焼時には湯の対流で開状態となる弁と、前記傾斜断面を備える管の外周に下部連結管の内壁に当接して係止する弾性体を備えたことを特徴とする外釜付き風呂の逆流防止器具。
【請求項２】
請求項１に記載の外釜付き風呂の逆流防止器具において、前記傾斜断面に開口部を備えた薄い板状物を備え、前記開口部の外面に自重で当接して閉状態とし外釜の燃焼時には湯の対流で開状態とする弁を備えたことを特徴とする外釜付き風呂の逆流防止器具。
【請求項３】
請求項１および２に記載の外釜付き風呂の逆流防止器具において、前記傾斜断面を備える管の外周に下部連結管の内壁に当接して係止する弾性体が、屈曲あるいは湾曲した板状あるいは棒状の弾性体であることを特徴とする外釜付き風呂の逆流防止器具。
【考案の詳細な説明】
【技術分野】
【０００１】
本考案は、外釜式風呂の湯冷めを抑制する機構に関し、詳細には浴槽と屋外の外釜とを上部および下部の連結管で連通させた風呂の下部連結管に取り付け、非燃焼時に外気で冷された外釜の冷水が浴槽に逆流して湯温が低下するのを防止する為の逆流防止器具に関するものである。
【背景技術】
【０００２】
家庭用の外釜付き風呂において家族が時間をおいて随時に入浴するため、なかんずく冬季では時間が経るほど外釜が外気に冷やされて浴槽に逆流し、浴槽の湯の温度を低下させるため追い炊きの回数が増えて不経済であった。
【０００３】
対策として従来から種々の逆流防止器具が提唱されてきたが、実開平６−１８８５６号公報のように、外釜と浴槽を上下で連結する上部連結管の給湯口に取り付けて、湯温低下に対応して弁を閉じて保温するものがあるが、上部連結管の給湯口を閉にしても下部連結管の管内で小さなループの対流で、外釜で冷やされた水が浴槽に流れるため保温効果が低下し、さらに浴槽内に出っ張って取り付けられるため浴槽内が狭くなり邪魔であった。
【０００４】
また、実開平７−１８１６３号公報のように浴槽下部の連結管内に取り付けられ浴槽内に出張ることなく入浴時の邪魔にならないが、構造が複雑で部品点数が多くコスト高の要因となっていた。また、従来は下部連結管の内壁に着脱容易に係止させる係止機構を備えた逆流防止器具は提案されていなかった.
【特許文献１】実開平６−１８８５６号公報
【特許文献２】実開平７−１８１６３号公報
【考案の開示】
【考案が解決しようとする課題】
【０００５】
解決しようとする問題点は、家庭用の外釜付き風呂において、外釜の非燃焼時に外釜が外気に冷やされて、上部連結管と下部連結管を流れる大きなループの逆流、および下部連結管の管内の小さなループの逆流で浴槽に流れて湯温の低下することを防止し、浴槽内に出っ張って邪魔にならず着脱容易な逆流防止器具を、簡単な構造で安価に構成することである。また。従来の逆流防止器具は着脱が容易でないものが多く、着脱容易なものは連結管への装着強度が弱く、入浴時に生じる浴槽内の波でズレるために浴槽内壁との間に隙間ができ、逆流防止効果が低下していた。
【課題を解決するための手段】
【０００６】
本考案は、浴槽と屋外の外釜とを上部および下部の連通管で連通させた風呂の下部連通管の浴槽側端部に挿し込んで取り付け、非燃焼時に外気で冷された外釜の冷水が浴槽に逆流するのを防止する為の逆流防止器具であって、一方に浴槽の内壁に当接する鍔部を備え、他方に上向きの傾斜断面を備える管の前記傾斜断面に自重で当接して閉状態とし外釜の燃焼時には湯の対流で開状態となる弁と、前記傾斜断面を備える管の外周に下部連結管の内壁に当接して係止する弾性体を備えたことを特徴とする外釜付き風呂の逆流防止器具を構成する。
【０００７】
一方に浴槽の内壁に当接する鍔部と、他方に上向きの傾斜断面を備える管および、前記傾斜断面に自重で当接して閉状態とし外釜の燃焼時には湯の対流で開状態となる弁は、熱伝導率の低いプラスチックなどで構成することが望ましい。前記弁は逆流で容易に閉状態となるように軽量であることが望ましく、浴槽の内壁に当接する鍔部の外周上部には、取り付け角度を示す凹または凸部を形成しておくことが望ましい。
【０００８】
また、前記傾斜断面を備える管の外周に下部連結管の内壁に当接して係止する弾性体を備えたことにより、下部連結管の浴槽内壁への着脱容易になり、さらに入浴時に生じる浴槽内の波でズレて浴槽内壁との間に隙間ができることなく逆流防止効果が低下することはない。また、前記鍔部と上向きの傾斜断面を備える管は、プラスチック樹脂の一体成形で形成でき、さらに金型は複雑になるが傾斜断面の上部に、回転自在な前記弁の取り付けヒンジ部も一体成形で形成することができる。
【０００９】
また本考案は、前記の外釜付き風呂の逆流防止器具において、前記傾斜断面に開口部を備えた薄い板状物を備え、前記開口部の外面に自重で当接して閉状態とし外釜の燃焼時には湯の対流で開状態とする弁を備えたことを特徴とする外釜付き風呂の逆流防止器具を構成する。。
【００１０】
前記傾斜断面に装着される開口部を備えた薄い板状物は、熱伝導率の低いプラスチックなどの薄い板に、矩形あるいは円形の開口部をなるべく広く設けてプレスで打ち抜き、自重で当接する回転自在な弁を取り付けるヒンジを取り付けておく。また、前記のヒンジ部と開口部を備えた薄板、および弁はプラスチックの成形品でも良い。前記傾斜断面に装着される開口部を備えた薄い板状物を介して弁を設けることで、複雑な成形用の金型を必要とせず組み立て工数もさほどかからない。
【００１１】
また本考案は、前記の外釜付き風呂の逆流防止器具において、前記傾斜断面を備える管の外周に下部連結管の内壁に当接して係止する弾性体が、屈曲あるいは湾曲した板状あるいは棒状の弾性体であることを特徴とする外釜付き風呂の逆流防止器具を構成する。 浴槽の排水時に釜内部の水を逆流させて排水させつため、逆流防止器具を抜き取る必要があるので、着脱が容易に出来なければならない。
【００１２】
前記傾斜断面を備える管の外周に下部連結管の内壁に当接して係止する弾性体を、１個以上の板バネあるいは棒状バネで形成し、下部連結管の内壁に当接して適度な摩擦で係止するようバネ圧力となるよう曲げ角度を整えて着脱自在な、さらに入浴時に生じる浴槽内の波でズレて浴槽内壁との間に隙間ができて逆流防止効果が低下することのない逆流防止器具が構成できる。なお、板バネあるいは棒状バネは金属でもプラスチックでもよく、下部連結管に連通する浴槽内壁のフィルターなどを取り付ける突起物がある浴槽では、板バネあるいは棒状バネの形成角度は突起物を回避させておくことができる。
【考案の効果】
【００１３】
家庭用の外釜付き風呂において、外釜の非燃焼時に外釜が外気に冷やされて、上部連結管と下部連結管を流れる大きなループの逆流、および下部連結管の管内の小さなループの逆流で浴槽に流れて湯温の低下することを防止し、浴槽内に出張って邪魔にならず着脱容易な逆流防止器具を、簡単な構造で安価に構成することができる。
【考案を実施するための最良の形態】
【００１４】
家庭用の外釜付き風呂において、外釜の非燃焼時に外釜が外気に冷やされて、上部連結管と下部連結管を流れる大きなループの逆流、および下部連結管の管内の小さなループの逆流で浴槽に流れて湯温の低下することを防止し、下部連結管に確実に係止されて浴槽内で邪魔にならず、着脱容易な逆流防止器具を提供する目的を、部品点数の少ない簡単な構造で安価に実現した。
【実施例１】
【００１５】
図１は、本考案の請求項１に係わる逆流防止器具で、傾斜断面を備える管の外周の弾性体に、テーパを有するゴム状のスリーブを用いた１実施例の正面図と側面図であって、１は浴槽の内壁に当接する鍔部、２は傾斜断面を備える管、３は自重で閉状態となる弁、１１はテーパを有するゴム状のスリーブ、１３は器具の方向性を示す突起である。
【実施例２】
【００１６】
図２は、本考案の請求項１に係わる逆流防止器具で、傾斜断面を備える管の外周の弾性体に、ゴム状のリングを用いた実施例の正面図と側面図であって、１２はゴム状のリング、他は実施例１と同様である。
【実施例３】
【００１７】
図３は、本考案の請求項１および３に係わる逆流防止器具で、傾斜断面を備える管の外周に、屈曲した板状の弾性体を用いた実施例の正面図と側面図であって、1〜３および１３は実施例１、２と同様であり、４は屈曲した板状の弾性体である。
【実施例４】
【００１８】
図４は、本考案の請求項２および３に係わる逆流防止器具で、傾斜断面を備える管の外周に、屈曲した板状の弾性体を用いた実施例の正面図と側面図であって1〜３および１３は実施例３と同様であり、５は傾斜断面に備えた開口部を有する薄い板状物である。実施例３および４に装着した屈曲した板状の弾性体４は、浴槽の下部結合管に突起物があっても、また内径に多少の差があっても屈曲部の手直しで、着脱容易に調整することができる。
【産業上の利用可能性】
【００１９】
家庭用の外釜付き風呂において、外釜が外気に冷やされて浴槽に逆流し、浴槽の湯の温度を低下させるため、なかんずく冬季では追い炊きの回数が増えて不経済であったが、本考案による逆流防止器具を取り付けることにより改善することができる。
【図面の簡単な説明】
【００２０】
【図１】本考案による逆流防止器具の正面図と側面図の説明図である。（実施例１）
【図２】本考案による逆流防止器具の正面図と側面図の説明図である。（実施例２）
【図３】本考案による逆流防止器具の正面図と側面図の説明図である。（実施例３）
【図４】本考案による逆流防止器具の正面図と側面図の説明図である。（実施例４）
【図５】本考案による逆流防止器具の取り付け状態を示した説明図である。
【符号の説明】
【００２１】
１      浴槽の内壁に当接する鍔部
２      傾斜断面を備える管
３      自重で閉状態となる弁
４      屈曲した板状の弾性体
５      傾斜断面に備えた開口部を有する薄い板状物
６      薄い板状物の開口部
７      浴槽
８      外釜
９      連結管
１０      本考案による逆流防止器具
１１      テーパを有するゴム状のスリーブ
１２      ゴム状のリング
１３      器具の方向性を示す突起
【図１】
0003118886.tif 000003
【図２】
0003118886.tif 000004
【図３】
0003118886.tif 000005
【図４】
0003118886.tif 000006
【図５】
0003118886.tif 000007